(57)【特許請求の範囲】
【請求項１】
チャージワイヤと、一方の面が像担持体に対向するグリッドとを有し、装置本体に対して前記チャージワイヤの張装方向に抜き差し可能な帯電器の前記グリッドを清掃するクリーニング装置において、
前記帯電器を前記装置本体に対して前記チャージワイヤの張装方向に抜き差しするだけで前記グリッドの像担持体に対向する面を払拭して清掃するグリッド清掃部材を設け、
該グリッド清掃部材は、前記グリッドを所定の高さに位置決めするハイト位置決め手段よりも外側の位置に配設されて前記装置本体の固定部に固定されていることを特徴とする帯電器のクリーニング装置。
【請求項２】
チャージワイヤと、一方の面が像担持体に対向するグリッドとを有し、装置本体に対して前記チャージワイヤの張装方向に抜き差し可能な帯電器の前記グリッドを清掃するグリッド清掃部材を備えたクリーニング装置において、
前記グリッド清掃部材は、前記グリッドの内面を清掃するグリッド内面清掃部材と、前記グリッドの前記像担持体に対向する外面を清掃するグリッド外面清掃部材とからなり、前記グリッド内面清掃部材は前記グリッドに接触する位置と該グリッドから離れた位置とに移動可能であって、前記帯電器を前記装置本体の所定の位置まで挿着した通常時には前記グリッドから離れた位置になり、前記帯電器を前記装置本体に対して前記チャージワイヤの張装方向に抜き差しすることにより前記グリッドに接触する位置に移動して前記グリッドの内面を清掃し、前記グリッド外面清掃部材が前記帯電器の抜き差しにより前記グリッドの像担持体に対向する面を払拭して清掃することを特徴とする帯電器のクリーニング装置。
【請求項３】
前記グリッド内面清掃部材は、前記帯電器が前記所定の位置にある通常時に前記像担持体に対向する位置にあり、前記グリッド外面清掃部材は前記像担持体よりも外側の位置に配設されて前記装置本体の固定部に固定されていることを特徴とする請求項２記載の帯電器のクリーニング装置。
【発明の詳細な説明】
【０００１】
【発明の属する技術分野】
この発明は、チャージワイヤとグリッドとを有し、装置本体に対して抜き差しが可能な帯電器のグリッドを清掃する帯電器のクリーニング装置に関する。
【０００２】
【従来の技術】
例えば、電子写真方式による複写機の帯電部に用いられる帯電器にはコロナ放電器がある。このようなコロナ放電器では、そこに設けられているグリッド（グリッド電極）や放電ワイヤが、飛散トナーや感光体への荷電のときに発生する放電生成物により汚れて、放電ムラが発生することが知られている。
【０００３】
また、コロナ放電器が発生するオゾンを処理するために、外気を防塵フィルタを介してコロナ放電器に吹き付けるようにしている構成のものでは、室内で使用された加湿器から放出されたカルキや煙草の煙等が防塵フィルタで集塵されずにコロナ放電器に吹き付けられてしまったときには、それらによってコロナ放電器が汚れてしまうということがあった。
【０００４】
そのため、このようなコロナ放電器を使用している装置では、高品質の画像を継続して得ようとすれば、そのコロナ放電器をきれいな状態に保って放電ムラが生じないようにする必要がある。そこで、従来よりグリッドや放電ワイヤを清掃部材で清掃する技術が、種々提案されている。
【０００５】
このような従来の放電器を清掃するクリーニング装置は、例えば放電ワイヤ及びグリッドの放電ワイヤ側を清掃する清掃部材を、放電ワイヤ及びグリッドからそれぞれ離間させる離間機構を設けていて、コロナ放電器が装置本体にセットされている通常時には、清掃部材を上記離間機構により放電ワイヤやグリッドからそれぞれ離間させた位置にしている。
これは、清掃部材が放電ワイヤやグリッドにそれぞれ接触した状態にあると、その放電ワイヤ及びグリッドのハイトが変わってしまい、画像に影響（濃度偏差）を及ぼしてしまうからである。
【０００６】
【発明が解決しようとする課題】
しかしながら、従来の放電器のグリッドを清掃するクリーニング装置にあっては、グリッドの放電ワイヤ側しか清掃できなかったので、充分な清掃効果が得られていなかった。
【０００７】
そこで、グリッドの像担持体側を清掃部材により清掃するクリーニング装置を新たに追加するようにすれば清掃効果は向上する。しかしながら、このようにすれば、コロナ放電器が装置本体にセットされている通常時に、その清掃部材をグリッドから離間させた位置にする離間機構も設けなければならなくなるので、装置全体が高価になってしまう。
【０００８】
この発明は、上記の問題点に鑑みてなされたものであり、グリッドの像担持体側に付着したゴミやトナー等を確実に除去することができる清掃能力の高い帯電器のクリーニング装置を安価で提供できるようにすることを目的とする。
【０００９】
【課題を解決するための手段】
この発明は上記の目的を達成するため、チャージワイヤと、一方の面が像担持体に対向するグリッドとを有し、装置本体に対してチャージワイヤの張装方向に抜き差し可能な帯電器のグリッドを清掃するクリーニング装置において、
上記帯電器を装置本体に対してチャージワイヤの張装方向に抜き差しするだけでグリッドの像担持体に対向する面を払拭して清掃するグリッド清掃部材を設け、そのグリッド清掃部材は、グリッドを所定の高さに位置決めするハイト位置決め手段よりも外側の位置に配設されて装置本体の固定部に固定されているようにしたものである。
【００１０】
また、チャージワイヤと、一方の面が像担持体に対向するグリッドとを有し、装置本体に対してチャージワイヤの張装方向に抜き差し可能な帯電器のグリッドを清掃するグリッド清掃部材を備えたクリーニング装置において、
上記グリッド清掃部材は、上記グリッドの内面を清掃するグリッド内面清掃部材と、グリッドの像担持体に対向する外面を清掃するグリッド外面清掃部材とからなり、グリッド内面清掃部材は上記グリッドに接触する位置とそのグリッドから離れた位置とに移動可能であって、帯電器を装置本体の所定の位置まで挿着した通常時には上記グリッドから離れた位置になり、帯電器を装置本体に対してチャージワイヤの張装方向に抜き差しすることにより上記グリッドに接触する位置に移動してグリッドの内面を清掃し、グリッド外面清掃部材が帯電器の抜き差しにより上記グリッドの像担持体に対向する面を払拭して清掃するように構成する。
そのグリッド内面清掃部材は、帯電器が上記所定の位置にある通常時に像担持体に対向する位置にあり、グリッド外面清掃部材は像担持体よりも外側の位置に配設して、それを装置本体の固定部に固定するようにするとよい。
【００１２】
【発明の実施の形態】
以下、この発明の実施の形態を図面に基づいて説明する。
図１はこの発明の一実施形態例である帯電器のクリーニング装置を画像形成装置の関連部と共に示す概略構成図、図２は同じくそのクリーニング装置に設けられている各清掃部材が清掃位置にある状態を示す概略図、図３は図１の帯電器を引き出したときに後部エンドブロックによりホルダが揺動されて各清掃部材が清掃位置になる状態を説明するための概略図、図４は同じくその帯電器を装置本体の所定の位置まで挿入した状態を示す概略図である。
【００１３】
図１に帯電部付近の一部を示す画像形成装置は、像担持体である感光体ドラム１に対向させて帯電器であるコロナ放電器２を設けている。そのコロナ放電器２は、チャージワイヤであるコロナワイヤ３と、一方の面が感光体ドラム１に対向するグリッド(グリッド電極)４とを有している。
そして、このコロナ放電器２は、画像形成装置の装置本体５に対してコロナワイヤ３の張装方向である矢示Ａ方向に抜き差し可能に形成されている。
【００１４】
そのコロナ放電器２は、ケース６の一端部に前部エンドブロック７を、他端部に後部エンドブロック（図１では右方に位置していて見えないので図３を参照）１２をそれぞれ一体に固定している。そして、その前部エンドブロック７と後部エンドブロック１２との間にコロナワイヤ３を張装している。
【００１５】
また、その前部エンドブロック７と後部エンドブロック１２との間には、グリッド４を感光体ドラム１に近接させて取り付けている。そして、そのグリッド４を、ハイト位置決め手段であるグリッドハイト位置出し部材８により、所定の高さに位置決めしている。
【００１６】
この画像形成装置は、コロナ放電器２を装置本体５に対してコロナワイヤ３の張装方向（矢示Ａ方向）に抜き差しするだけで、コロナワイヤ３とグリッド４をそれぞれ払拭して清掃するクリーニング装置１０を設けている。
そのクリーニング装置１０は、ホルダ１１に例えば粘着テープで貼着したワイヤ清掃部材１３によりコロナワイヤ３を清掃し、同様にホルダ１１に粘着テープで貼着したグリッド内面清掃部材１４によりグリッド４の内面４ａを清掃し、さらにグリッド４の感光体ドラム１に対向する外面４ｂを、グリッド清掃部材９により清掃する。
なお、ワイヤ清掃部材１３とグリッド内面清掃部材１４は、例えばスポンジで形成する。
【００１７】
クリーニング装置１０のホルダ１１は、図２に明示するような形状をしていて、左右にそれぞれ傾斜した側縁１１ａ，１１ｂを有している。
このホルダ１１は、その略中央が軸１５により前側板２１（図１を参照）にネジ止めされているステー２２に揺動可能に支持されていて、それが図示のように矢示Ｂ方向に揺動してワイヤ清掃部材１３がコロナワイヤ３に、グリッド内面清掃部材１４がグリッド４の内面４ａにそれぞれ清掃に適した接触圧で接する位置で、ホルダクリック部１６により保持されるようになっている。
【００１８】
すなわち、ステー２２に、例えば半球状のホルダクリック部１６をホルダ１１側の面に設け、ホルダ１１にはホルダクリック部１６に対応して、それを係合させる半球状にくぼませたクリック孔１７を図２に示す位置に形成している。
したがって、図２に示した位置で、クリック孔１７にホルダクリック部１６が係合することにより、ホルダ１１の揺動位置が図示の位置に保持される。
【００１９】
また、図１に示したように、装置本体５の固定部となる感光体フレーム１８の上面で、グリッドハイト位置出し部材８よりも外側（図１で左方側）の位置に、コロナ放電器２を装置本体５に対して矢示Ａ方向に抜き差しするだけでグリッド４の外面４ｂを払拭して清掃する前述したグリッド清掃部材９を、例えば両面テープにより貼着している。
【００２０】
そして、そのグリッド清掃部材９の位置は、図１から明らかなように感光体ドラム１よりも外側の位置になる。
そのグリッド清掃部材９は、例えばスポンジ（弾性部材）で形成し、そのグリッド４と接する面側の一部がグリッド４に食い込むようにしている。それにより、清掃効果を高めることができる。
【００２１】
なお、このコロナ放電器２は、それを図１に示したように装置本体５の所定の位置まで挿着すると、前部エンドブロック７の上面に形成している半球状のクリック孔７ａに、装置本体５の前側板２１に固定されたステー２２に設けられているフック部２３の先端の半球部２３ａが嵌入するため、それが装置本体５に対して位置決めされる。
【００２２】
この画像形成装置では、図１に示したように、コロナ放電器２を所定の位置まで挿着した通常時には、前部エンドブロック７の角部７ｂがホルダ１１の同図で左方側の傾斜した側縁１１ａに当接して、ホルダ１１を実線で示す揺動位置に位置決めしている。
この状態では、図４に示すようにワイヤ清掃部材１３がコロナワイヤ３から離れた位置にあり、グリッド内面清掃部材１４もグリッド４の内面４ａから離れた位置にある。
【００２３】
この状態から、コロナ放電器２を図４で左方（装置の手前側）に引き出すと、図３に示すように後部エンドブロック１２の角部１２ａがホルダ１１の同図で右方側の傾斜した側縁１１ｂに当接して、ホルダ１１を図示の位置に揺動させる。それにより、ワイヤ清掃部材１３がコロナワイヤ３に下側から接触し、グリッド内面清掃部材１４もグリッド４の内面４ａに接触する。
この状態では、前述したようにホルダクリック部１６がクリック孔１７に係合するため、ホルダ１１が図３に示した位置に保持される。
【００２４】
次に、コロナ放電器２を図３で右方に差し込むと、コロナワイヤ３がワイヤ清掃部材１３に接触しながら移動すると共に、グリッド４もその内面４ａがグリッド内面清掃部材１４に接触しながら移動するので、コロナワイヤ３とグリッド４の内面４ａはそれぞれ清掃される。
【００２５】
そして、コロナ放電器２が図１に示した所定の挿着位置まで差し込まれると、再び前部エンドブロック７の角部７ｂがホルダ１１の同図で左方側の傾斜した側縁１１ａに当接して、ホルダ１１を実線で示す位置に揺動させるので、ワイヤ清掃部材１３とグリッド内面清掃部材１４がコロナワイヤ３とグリッド４の内面４ａからそれぞれ離れて元の位置に戻る。
【００２６】
一方、装置本体５側の感光体フレーム１８の上面には、前述したようにグリッド清掃部材９を設けているので、上述したようにコロナ放電器２を図１で左方に引き出したとき、及びそれを逆の方向に差し込んだときには、グリッド清掃部材（グリッド外面清掃部材）９がグリッド４の外面４ｂを払拭するようになるので、その外面４ｂを清掃することができる。
したがって、このクリーニング装置１０によれば、上述したような簡単な構成でありながら、コロナ放電器２を装置本体５に対して抜き差しするだけでグリッド４の感光体ドラム１に対向する外面４ｂに付着したトナーやゴミ等を確実に除去することができる。
【００２７】
図５は参考技術として異なる帯電器のクリーニング装置を示す図４と同様な概略図、図６はそこに使用しているグリッド清掃部材をグリッドと共に示す正面図であり、図４と対応する部分には同一の符号を付してある。
このクリーニング装置３０は、図６に示すようにグリッド４の両面を挾持する形状のグリッド清掃部材３９を設け、そのグリッド清掃部材３９を図５に示すように、例えばステー２２′に固定した保持部材３２に取り付けることにより、グリッド４の内面４ａと外面４ｂの両方を同時に清掃できるようにしている。
【００２８】
そのグリッド清掃部材３９は、図６に示したように中央に長手方向に沿ってスリ割り３１を形成し、そのスリ割り３１内にグリッド４を挿入している。したがって、グリッド清掃部材３９とグリッド４とを相対移動させれば、グリッド４の内面４ａと外面４ｂの両方を同時に清掃することができる。
このようなグリッド清掃部材３９を使用すれば、グリッドを清掃する清掃部材の数を減らすことができるので、クリーニング装置の構成を簡単にすることができる。
【００２９】
【発明の効果】
以上説明したように、この発明によれば、次に記載する効果を奏する。
請求項１の帯電器のクリーニング装置によれば、グリッド清掃部材がグリッドのハイトに影響を及ぼさない位置に設けられているので、グリッドのハイトが変化した場合に生じ易い濃度偏差を防止することができるため、帯電器として高い信頼性が得られる。
請求項２の帯電器のクリーニング装置によれば、簡単な構成で安価にできながら、帯電器を装置本体に対して抜き差しするだけでグリッドの像担持体に対向する面及びグリッドの内面に付着したトナーやゴミ等を確実に除去することができる高い清掃能力が得られる。
【００３１】
請求項３の帯電器のクリーニング装置によれば、グリッド清掃部材は像担持体よりも外側の位置に配設されて画像形成領域外に位置するため、良好な画像品質が得られる。
【図面の簡単な説明】
【図１】この発明の一実施形態例である帯電器のクリーニング装置を画像形成装置の関連部と共に示す概略構成図である。
【図２】同じくそのクリーニング装置に設けられている各清掃部材が清掃位置にある状態を示す概略図である。
【図３】図１の帯電器を引き出したときに後部エンドブロックによりホルダが揺動されて各清掃部材が清掃位置になる状態を説明するための概略図である。
【図４】同じくその帯電器を装置本体の所定の位置まで挿入した状態を示す概略図である。
【図５】  参考技術として異なる帯電器のクリーニング装置を示す図４と同様な概略図である。
【図６】  同じくそのクリーニング装置に使用しているグリッド清掃部材をグリッドと共に示す正面図である。
【符号の説明】
１：感光体ドラム（像担持体）
２：コロナ放電器（帯電器）
３：コロナワイヤ（チャージワイヤ）
４：グリッド            ５：装置本体
８：グリッドハイト位置出し部材（ハイト位置決め手段）
９，３９：グリッド清掃部材
１０．３０：クリーニング装置
１８：感光体フレーム（固定部）
【図１】
0003689592.tif 000002
【図２】
0003689592.tif 000003
【図３】
0003689592.tif 000004
【図４】
0003689592.tif 000005
【図５】
0003689592.tif 000006
【図６】
0003689592.tif 000007